(57)【特許請求の範囲】
【請求項１】
略半球状のヘルメット本体と、該ヘルメット本体内の中央部分から放射状に延びる複数の支持バンドを有したハンモックと、前記ヘルメット本体の前部側の内面に沿って進退可能に設けられていて、進出位置で使用者の顔面を保護するシールドとを備えたヘルメットにおいて、
前記ヘルメット本体内の前部側には、前記ヘルメット本体の周方向に沿って円弧状にシールドガイド部材が設けられており、
該シールドガイド部材は、前記シールドが進退可能に挿通する挿通孔と、前記シールドガイド部材を前記ヘルメット本体に取り付ける係合部と、前記ヘルメット本体の前部側に配された前記支持バンドが着脱可能に取り付けられる係止部とを備え、
前記係合部が、前記挿通孔に挿通した前記シールドの前記周方向の端部と重なる領域、又はその内側に設けられ、且つ前記ヘルメット本体の係合受部に着脱可能とされ、
前記係合受部が、前記係合部に替えて前記支持バンドを取り付け可能に形成されていることを特徴とするヘルメット。
【請求項２】
請求項１記載のヘルメットにおいて、
前記係止部は、前記挿通孔を挟んで前記係合部と対向配置されていることを特徴とするヘルメット。
【発明の詳細な説明】
【技術分野】
【０００１】
本発明は、ヘルメット本体に進退可能に設けられて使用者の顔面を保護するシールドを備えたヘルメットに関する。
【背景技術】
【０００２】
従来、使用者の頭部を保護するヘルメットには、略半球状のヘルメット本体と、ヘルメット本体内に設けられ、ヘルメット本体の内面との間に隙間をあけてヘルメット本体に支持されるハンモックと、ヘルメット本体の前部側の内面に沿って進退可能で、且つヘルメット本体から出没可能に設けられ、進出位置で使用者の顔面を保護するシールドとを備えたものがある。
【０００３】
この種のヘルメットにおいて、ハンモックは、使用者の頭頂部に接する中央部分から放射状に延設した複数のハンモック懸架バンド（支持バンド）を備えて形成されている。また、この種のヘルメットには、例えば特許文献１に開示されるような、使用者の頭部全周を覆いその内径寸法が使用者の頭部の大きさに応じて調整可能なヘッドバンドや、ヘルメット本体の内面の上部に沿うように湾曲した板状の対衝撃補強支持アームに一体に取り付けられて頭部の前方側を覆うように周方向（ヘルメット本体の内面を臨む平面視における周方向）に沿って形成された板状のシールドボックスや、このシールドボックスに固着されて使用者の後頭部側を覆うように設けられた取付バンドを備えたものがある。このヘルメットにおいては、シールドボックスが、ヘルメット本体の内面との間にシールドを進退させる隙間を形成するようにして複数のリベットでヘルメット本体の内面に固着される。また、取付バンドが、ヘルメット本体の後部側の内面に複数のリベットにより固着される。そして、ハンモックは、一部の支持バンドの下端側にヘッドバンドが固着されてこれを支持するとともに、ヘルメット本体の前部側に配された例えば２本の支持バンドが、それぞれの下端をシールドボックスのヘルメット本体中央側を向く面に固着させ、他の支持バンドが、取付バンドとともにヘルメット本体の側部や後部側の内面に固着されて、ヘルメット本体と一体とされている。
【０００４】
一方、シールドは、前方に凸の円弧状に形成されるとともに、シールドボックスの前面とヘルメット本体の前部側の内面との間の前記隙間内に設けられている。また、このシールドは、裏面上部の左右両側に設けられた凸状の係止部が、シールドボックスの上半部の左右両側に上下方向に延設したガイド溝にそれぞれ係合して、進退可能に支持されている。そして、シールドは、ヘルメット本体内に収納した退避位置からヘルメット本体外に引き出されることによって使用者の顔面を覆いこれを保護する。
【特許文献１】特許第２９１６１４０号公報
【発明の開示】
【発明が解決しようとする課題】
【０００５】
しかしながら、上記のヘルメットにおいては、シールドがシールドボックスとヘルメット本体の隙間に進退可能に設けられることにより、すなわち顔面を保護できる幅（前記周方向の幅）を備えたシールドが進退できる隙間を形成するために、ハンモックの前部側の支持バンドが固着したシールドボックスを、シールドの前記幅方向両側端（端部）よりもヘルメット本体の側部側の両端位置でヘルメット本体に固着する必要が生じる。そして、このような場合には、固着した両端位置よりも前記幅方向内側の前記隙間を形成するシールドボックスの前部側の幅が広くなるために、すなわちシールドボックスのヘルメット本体に固着されていない部分の幅が広くなるために、シールドボックスがぐらついてしまい、ひいては支持バンドを固着させてシールドボックスに支持されるハンモックがぐらついてしまうという問題があった。このため、装着状態でヘルメットの前部側の装着安定性が不十分となり、使用者の頭部を好適に保護できないおそれが生じていた。
【０００６】
本発明は、上記事情を鑑み、シールドを好適に進退可能に設けつつ優れた装着安定性を備えるヘルメットを提供することを目的とする。
【課題を解決するための手段】
【０００７】
上記の目的を達するために、この発明は以下の手段を提供している。
【０００８】
本発明のヘルメットは、略半球状のヘルメット本体と、該ヘルメット本体内の中央部分から放射状に延びる複数の支持バンドを有したハンモックと、前記ヘルメット本体の前部側の内面に沿って進退可能に設けられていて、進出位置で使用者の顔面を保護するシールドとを備えたヘルメットにおいて、前記ヘルメット本体内の前部側には、前記ヘルメット本体の周方向に沿って円弧状にシールドガイド部材が設けられており、該シールドガイド部材は、前記シールドが進退可能に挿通する挿通孔と、前記シールドガイド部材を前記ヘルメット本体に取り付ける係合部と、前記ヘルメット本体の前部側に配された前記支持バンドが着脱可能に取り付けられる係止部とを備え、前記係合部が、前記挿通孔に挿通した前記シールドの前記周方向の端部と重なる領域、又はその内側に設けられ、且つ前記ヘルメット本体の係合受部に着脱可能とされ、前記係合受部が、前記係合部に替えて前記支持バンドを取り付け可能に形成されていることを特徴とする。
【０００９】
このヘルメットにおいては、シールドガイド部材の挿通孔内でシールドを進退させるように構成することによって、ヘルメット本体とシールドガイド部材の間に隙間を設ける必要がなく、シールドガイド部材を、シールドの周方向（幅方向）のそれぞれの端部と重なる領域、又はその内側に形成した係合部でヘルメット本体に取り付けることができる。これにより、ぐらつくことなく安定した状態でシールドガイド部材をヘルメット本体に一体にすることが可能になり、このシールドガイド部材が支持するシールドとともに、シールドガイド部材の係止部に支持バンドが取り付けられたハンモックをぐらつくことなく安定した状態で支持することができる。
【発明の効果】
【００１０】
本発明のヘルメットによれば、従来のヘルメットと比較して、シールドを好適に進退可能に備えつつハンモックの取付安定性を向上させることができるため、装着状態でヘルメットの前部側の装着安定性が向上し、使用者の頭部を好適に保護することが可能になる。
【発明を実施するための最良の形態】
【００１１】
本発明の実施形態によるヘルメットは、前記係止部が、前記挿通孔を挟んで前記係合部と対向配置されている。これにより、ハンモックの支持バンドの取付強度を大きくすることができ、ヘルメットの装着安定性をより向上させることが可能になる。
【００１２】
さらに、前記係合部は、前記ヘルメット本体の係合受部に着脱可能とされ、前記係合受部が、前記係合部に替えて前記支持バンドを取り付け可能に形成されている。これにより、ヘルメット本体へのシールドの着脱を容易に行なうことができ、例えばシールドやハンモックの清掃や交換などを容易に行なうことができるため、メンテナンス性を向上させることが可能になる。また、ヘルメット本体の係合受部に支持バンドを取り付けることができることで、シールドが不要な際に、シールドを外した状態でヘルメットを使用することが可能になり、ヘルメットの汎用性を向上させることができる。
【００１３】
また、前記シールドガイド部材には、前記ヘルメット本体の内面に沿って上方に突出し、前記シールドの進退方向を規制するガイド部が設けられている。これにより、ガイド部によって、シールドを確実に所望の進退方向に進退させることが可能になり、シールドの進退操作を好適に行なうことが可能になる。
【００１４】
さらに、前記シールドガイド部材には、眼がね部材または／及び発光して使用者の存在を他者に認識させるための発光部材の付属部材を着脱可能に取り付けるための取付部が設けられている。これにより、例えばサングラスなどの眼がね部材や発光部材の付属部材をヘルメットに装備することができ、ヘルメットに眼がね部材や発光部材を別途取り付けるための部材を要したり、眼がね部材や発光部材が予め取り付けられたヘルメットと交換したりする必要がなく、ヘルメットの汎用性を大幅に向上させることが可能になる。
【実施例】
【００１５】
以下、図１から図４を参照し、本発明の実施例によるヘルメットについて説明する。本実施例は、使用者の顔面を保護するシールドを備えたヘルメットに関し、例えば警備や建設工事などで使用されるヘルメットに関するものである。
【００１６】
本実施例のヘルメットＡは、図１及び図２に示すように、略半球状でドーム型に形成されたヘルメット本体１と、装着状態で使用者の頭部とヘルメット本体１の内面１ａとの間に隙間をあけてヘルメット本体１内に設けられ、ヘルメット本体１に作用した衝撃を吸収するためのハンモック２と、使用者の顔面を保護するシールド３と、シールド３をヘルメット本体１の前部１ｂ側の内面１ａに沿って進退可能で、且つヘルメット本体１から出没可能に支持するシールドガイド部材４と、ハンモック２の下端側と繋がって支持され、装着状態で使用者の頭部全周を覆うように設けられた略環状のヘッドバンド５とが主な構成要素とされている。
【００１７】
ヘルメット本体１は、例えばＡＢＳ樹脂（アクリロニトリルブタジエンスチレン共重合体）によって形成されたものであり、その前部１ｂ側には、雨や落下物から使用者の顔面を保護するように前方に突出する庇部１ｃが設けられている。また、ヘルメット本体１には、その内面１ａの下端１ｄ側に、図２に示した内面１ａを臨む平面視で周方向に所定の間隔をもって配置され、詳細は後述するハンモック２の第１係止部２ａ及びシールドガイド部材４の係合部４ａがそれぞれ着脱可能に係合（固着）する複数の係合受部１ｆが設けられている。本実施例では、これら係合受部１ｆが、それぞれヘルメット本体１の内面１ａから外面１ｇに向けて凹むように形成され、ヘルメット本体１の前部１ｂ側の両側部１ｈ側にそれぞれ1つずつ、ヘルメット本体１の後部１ｉ側の両側部１ｈ側にそれぞれ１つずつ、計４つ設けられている。
【００１８】
ハンモック２は、例えばポリエチレンなどで形成されたものであり、図１に示すように、使用者の頭頂部に接する中央部分から周方向に所定間隔で配置され放射状に延設した複数の支持バンド２ｂを備えて形成されている。また、ハンモック２には、各支持バンド２ｂの下端の外面（ヘルメット本体１の内面１ａ側を向く面）側に第１係止部２ａが設けられている。本実施例では、支持バンド２ｂが４本設けられており、隣り合う支持バンド２ｂの延設方向が略９０度の角度で交差するように各支持バンド２ｂが配設されている。そして、前方側（前部１ｂ側）の２つの支持バンド２ｂが、それぞれの第１係止部２ａをシールドガイド部材４の後述する第２係止部（係止部）４ｉに着脱可能に係合され、後方側（後部１ｉ側）の２つの支持バンド２ｂが、それぞれの第１係止部２ａをヘルメット本体１の後部１ｉ側の２つの係合受部１ｆのそれぞれに係合されて、ハンモック２が装着される。また、前記中心対称に位置する一対の支持バンド２ｂは、略同一直線上で延設されており、このように中心対称の一対の支持バンド２ｂが略同一直線上に配されることによって、ヘルメット本体１に作用した衝撃力を確実にハンモック２で受け止め、使用者の頭部を保護する。
【００１９】
また、このように形成したハンモック２には、各支持バンド２ｂの下端側に、前記第１係止部２ａを径方向外側に配した状態で略環状のヘッドバンド５が一体に繋げられている。このヘッドバンド５は、使用者の頭部の全周に当接しつつ頭部を覆って、ハンモック２とともにヘルメットＡの装着安定性を確保するためのものであり、その内径寸法を後方側に設けた調整機構５ａで調整することによって頭部の大きさが異なる各使用者が同じヘルメットＡを使用できるように構成されている。
【００２０】
シールド３は、例えばポリカーボネート等で形成した透明もしくは半透明の部材とされ、前方に向けて凸の円弧状に形成されている。また、このシールド３には、その上部側の幅方向（前記周方向）略中央の外面に、外側（前方側）に向けて互いに平行に突出する一対の係合凸部３ａが設けられている。
【００２１】
一方、本実施例のシールドガイド部材４は、例えばＡＢＳ樹脂やポリエチレンなどで形成されたものであり、図１及び図２に示すように、ヘルメット本体１の周方向に沿って、すなわちヘルメット本体１の前部１ｂ側の内面１ａに沿って、円弧状に形成されるとともに、上端４ｂから下端４ｃに向けて貫通し、幅方向（前記周方向）の一端４ｄ近傍から他端４ｅ近傍まで延びる挿通孔４ｆを備えて形成されている。そして、このシールドガイド部材４は、ヘルメット本体１の前部１ｂ側の内面１ａの下端１ｄ側に、ヘルメット本体１の内面１ａとシールドガイド部材４の凸側（挿通孔４ｆを挟んでヘルメット本体１の内面１ａ側）の一側面を対向させた状態で設けられている。このとき、シールドガイド部材４の一側面側の幅方向の両端４ｄ、４ｅ側にそれぞれ一側面から外側に突出した係合部４ａが設けられており、この一対の係合部４ａがヘルメット本体１の前部１ｂ側の２つの前記係合受部１ｆにそれぞれ着脱可能に係合することによって、シールドガイド部材４がヘルメット本体１に取り付けられている。また、このように設けられたシールドガイド部材４には、挿通孔４ｆにシールド３が上下方向に進退可能に挿通されており、一対の係合部４ａは、挿通孔４ｆに挿通したシールド３の幅方向（前記周方向）の両端部３ｂ、３ｃよりもシールドガイド部材４の幅方向内側に設けられている。これにより、一対の係合部４ａを一対の係合受部１ｆに係合させてヘルメット本体１に取り付けたシールドガイド部材４は、ぐらつくことなく安定した状態でヘルメット本体１に一体とされる。
【００２２】
また、シールドガイド部材４には、挿通孔４ｆを挟んでヘルメット本体１の内面１ａ側の部分の幅方向中央に、ヘルメット本体１の内面１ａに沿って上方に延出するガイド部４ｇが設けられている。このガイド部４ｇには、その幅方向（前記周方向）中央に上下方向に延びるガイド孔４ｈが形成されている。そして、挿通孔４ｆに挿通したシールド３は、図１及び図３に示すように、前記一対の係合凸部３ａをこのガイド孔４ｈに摺動可能に係合させて設けられている。このようにシールドガイド部材４に設けられたシールド３は、使用者が上方に向けて移動させた際に、ヘルメット本体１の内部に退避し、逆に下方に向けて引き出した際に使用者の顔面を保護する保護位置（進出位置）に進出する。そして、このとき、シールド３は、一対の係合凸部３ａがガイド部４ｇのガイド孔４ｈに案内されて移動することによって、シールド３の進退方向が所定の方向となるように規制され、保護位置と退避位置との間を進退する。また、本実施例において、ガイド孔４ｈには、図２及び図４に示すように、その上端側と下端側とにそれぞれ、他の部分よりも孔幅が僅かに大きくなるように形成された断面方形状の切欠き部４ｍが設けられている。そして、シールド３が保護位置に配された際には、ガイド孔４ｈの下端側に設けた切欠き部４ｍに係合凸部３ａが係合し、シールド３が退避位置に配された際には、上端側に設けられた切欠き部４ｍに係合凸部３ａが係合して、シールド３を保護位置と退避位置でそれぞれ保持することが可能とされている。
【００２３】
さらに、シールドガイド部材４には、図１及び図２に示すように、前記凸側の前記一側面と対向する凹側（挿通孔４ｆを挟んでヘルメット本体１の中央側）の他側面の幅方向両端４ｄ、４ｅ近傍に、それぞれ凹状の第２係止部４ｉが形成されている。また、一対の第２係止部４ｉは、挿通孔４ｆに挿通したシールド３の幅方向両端部３ｂ、３ｃよりもシールドガイド部材４の幅方向（前記周方向）内側に設けられ、すなわち、シールド３の幅よりも一対の第２係止部４ｉの間隔が短くなるように設けられている。このように設けられた一対の第２係止部４ｉのそれぞれは、前記一対の係合部４ａのそれぞれと、挿通孔４ｆを挟んで互いに対向するように配置され、すなわち第２係止部４ｉと係合部４ａがシールドガイド部材４の幅方向略同位置に設けられている。そして、このように形成した第２係止部４ｉには、ハンモック２の前部１ｂ側の支持バンド２ｂの第１係止部２ａが係合される。このとき、第２係止部４ｉをシールド３の両端部３ｂ、３ｃよりも幅方向内側に設けることによって、幅広のシールド３を装備する場合においても、ハンモック２の前部１ｂ側の隣り合う支持バンド２ａが離れすぎることがなく、シールドガイド部材４に取り付けられて支持されるハンモック２の前部１ｂ側がぐらつくようなことがない。これにより、安定した状態でヘルメットＡが使用者に装着される。さらに、第２係止部４ｉと係合部４ａがシールドガイド部材４の幅方向略同位置に設けられていることによって、ハンモック２の前部１ｂ側の支持バンド２ｂのヘルメット本体１に対する取付強度が大きくなり、さらにハンモック２のぐらつきが防止され、ヘルメットＡの装着安定性が向上する。
【００２４】
また、シールドガイド部材４には、図１、図２及び図４に示すように、幅方向中央の前記一側面側に、前方に突出した一対の突部４ｊからなる取付部４ｋが形成されている。この取付部４ｋは、図１及び図４に示すように、例えばサングラスなどの眼がね部材６ａや、発光して例えば夜間時に使用者の存在を他者に認識させるための発光部材６ｂの付属部材６を着脱可能にシールドガイド部材４、ひいてはヘルメットＡに取り付けるためのものである。このとき、付属部材６には、取付突部６ｃが設けられ、この取付突部６ｃを取付部４ｋの一対の突部４ｊに係合させることによって、付属部材６がヘルメットＡ（シールドガイド部材４）に装着される。
【００２５】
上記のように構成した本実施例のヘルメットＡは、シールドガイド部材４の挿通孔４ｆ内でシールド３を進退させるように構成することによって、従来のヘルメットのように、ヘルメット本体１とシールドガイド部材４の間に隙間を設ける必要がなく、このシールドガイド部材４を、シールド３の幅方向両端部３ｂ、３ｃよりも内側で支持させてヘルメット本体１に設けることができる。これにより、ぐらつくことなく安定した状態でシールドガイド部材４をヘルメット本体１に一体にすることが可能になり、このシールドガイド部材４が支持するシールド３及びハンモック２をぐらつくことなく安定した状態で支持することができる。よって、本実施例のヘルメットＡにおいては、シールド３を好適に進退可能に備えつつハンモック２の取付安定性を向上させることができるため、装着状態でヘルメットＡの前部１ｂ側の装着安定性が向上し、使用者の頭部を好適に保護することが可能になる。
【００２６】
また、第２係止部４ｉと係合部４ａとが、挿通孔４ｆを挟んで互いに対向配置されていることによって、ハンモック２の支持バンド２ｂのヘルメット本体１に対する取付強度を大きくすることができ、ヘルメットＡの装着安定性をより向上させることが可能になる。
【００２７】
さらに、シールドガイド部材４がヘルメット本体１に着脱可能に取り付けられ、このシールドガイド部材４にハンモック２の支持バンド２ｂが着脱可能に固着されていることによって、ヘルメット本体１へのシールド３の着脱を容易に行なうことができ、例えばシールド３やハンモック２の清掃、交換などを容易に行なうことができる。よって、メンテナンス性を向上させることが可能になる。また、このようにシールドガイド部材４を着脱可能にするとともに、係合受部１ｆを支持バンド２ｂの第１係止部２ａが取り付けられるように形成することによって、シールド３が不要な場合には、係合受部１ｆにシールドガイド部材４の係合部４ａに替えて第１係止部２ａを係合させ、前部１ｂ側の支持バンド２ｂをヘルメット本体１に直接取り付けてハンモック２を好適に装着することも可能になり、シールドを外した状態でヘルメットＡを使用することが可能になる。これにより、ヘルメットＡの汎用性を高めることができる。
【００２８】
また、シールドガイド部材４に、ヘルメット本体１の内面１ａに沿って上方に突出するガイド部４ｇが設けられ、このガイド部４ｇのガイド孔４ｈに係合凸部３ａを係合させてシールド３が設けられていることによって、シールド３をガイド孔４ｈに沿って進退させることができ、所定の進退方向に確実に、且つ簡便に進退させることができる。これにより、シールド３の進退操作を好適に行なうことが可能になるとともに、その取扱性を容易にすることができる。
【００２９】
さらに、シールドガイド部材４の挿通孔４ｆよりもヘルメット本体１の前方側に、眼がね部材６ａや発光部材６ｂの付属部材６を取り付ける取付部４ｋが設けられていることによって、シールド３を支持するシールドガイド部材４を、眼がね部材６ａや発光部材６ｂの取付部材として併用することができる。これにより、眼がね部材６ａや発光部材６ｂを別途取り付けるための部材を要したり、使用者が、眼がね部材６ａや発光部材６ｂを必要とした際に、これらの付属部材６が予め取り付けられたヘルメットと交換したりする必要がなく、ヘルメットＡの汎用性を大幅に向上させることが可能になる。
【００３０】
なお、本発明は、上記の実施例に限定されるものではなく、その趣旨を逸脱しない範囲で適宜変更可能である。例えば、本実施例では、シールドガイド部材４の両端４ｄ、４ｅ側にそれぞれ１つずつ係合部４ａが設けられているものとしたが、例えばシールドガイド部材４の幅方向（周方向）中央側にも係合部４ａを設けて、さらにシールドガイド部材４の安定性を向上させてもよく、シールドガイド部材４に具備する係合部４ａは、特にその数が限定されるものではない。また、この場合には、当然ヘルメット本体１に形成する係合受部１ｆの数も係合部４ａの数に応じて変化することになる。さらに、シールドガイド部材４がヘルメット本体１の内面１ａに着脱可能に取り付けられているものとしたが、シールドガイド部材４が着脱不能でヘルメット本体１に固着されていてもよい。
【００３１】
また、本実施例では、ハンモック２が支持バンド２ｂを４本備えて形成されているものとしたが、これに限定する必要はなく、例えば６本や８本の支持バンド２ｂを備えていてもよい。さらに、シールドガイド部材４に着脱可能に取り付けられる支持バンド２ｂが２本であるものとしたが、３本以上の支持バンド２ｂが取り付けられてもよく、この場合には、シールドガイド部材４の第２係止部４ｉの数が、取り付けられる支持バンド２ｂの数に応じて変化することになる。そして、本実施例よりも多くの支持バンド２ｂがシールドガイド部材４に固着するように構成した場合には、その数に応じてヘルメットＡの前部１ｂ側の装着安定性が向上することになる。
【００３２】
さらに、本実施例では、シールドガイド部材４の係合部４ａ及び第２係止部４ｉが、それぞれシールド３の幅方向（周方向）両端部３ｂ、３ｃよりも内側に設けられているものとしたが、係合部４ａと第２係止部４ｉは、シールド３の端部３ｂ、３ｃと周方向に重なる領域に設けられてもよく、すなわち係合部４ａと第２係止部４ｉは、それぞれ一部がシールド３の端部３ｂ、３ｃよりも周方向内側に配されて設けられていてもよい。そして、この場合においても、シールド３の端部３ｂ、３ｃよりも内側の部分でシールドガイド部材４がヘルメット本体１に取り付けられるため、本実施例と同様の効果を得ることができる。
【００３３】
また、本実施例では、係合部４ａと第２係止部４ｉが挿通孔４ｆを挟んで対向配置されているものとしたが、係合部４ａと第２係止部４ｉは、周方向にずれた位置に設けられていてもよい。
【００３４】
さらに、本実施例では、シールドガイド部材４の挿通孔４ｆを挟んでヘルメット本体１の内面１ａ側の部分（凸側）に、上方に延出するガイド部４ｇが形成され、このガイド部４ｇのガイド孔４ｈに係合する係合凸部３ａがシールド３の外面側に形成されているものとしたが、例えばシールドガイド部材４の挿通孔４ｆを挟んでヘルメット本体１の中央側の部分（凹側）にガイド部４ｇを形成し、シールド３の内面側に形成した係合凸部３ａを係合させてシールド３の進退方向を規制するようにしてもよい。また、ガイド部４ｇや係合凸部３ａが、シールドガイド部材４やシールド３の幅方向略中央に設けられているものとしたが、特にその形成位置は限定を必要とするものではない。
【００３５】
また、本実施例では、ガイド部４ｇのガイド孔４ｈの上端側と下端側とにそれぞれ断面方形状の切欠き部４ｍが設けられ、この切欠き部４ｍにシールド３の係合凸部３ａが係合することによって、シールド３を保護位置（進出位置）と退避位置でそれぞれ保持することができるものとしたが、シールド３を保護位置と退避位置で保持する構成は、上記構成に限定する必要はなく、例えば切欠き部４ｍと係合凸部３ａが、それぞれ係合可能な断面略半円形状に形成されてもよい。また、例えばガイド部４ｇのガイド孔４ｈを画成して互いに対向する端部を、ガイド孔４ｈの上端から下端までの範囲で、交互に且つ連続的に並ぶ凹凸状に形成し、シールド３を進退させるとともに、順次、係合凸部３ａが前記端部に形成された凹部もしくは凸部に係合したり、この係合が解除されるようにして、使用者がシールド３の進退を停止させた任意の位置で、係合凸部３ａが凹部もしくは凸部に係合してシールド３を保持できるように構成してもよい。
【００３６】
さらに、本実施例では、ハンモック２の下端側にヘッドバンド５が繋がっているものとしたが、必ずしもヘルメットＡにヘッドバンド５が具備される必要はなく、また、ハンモック２とヘッドバンド５が分離されていたり、着脱可能とされていてもよい。
【図面の簡単な説明】
【００３７】
【図１】本発明の実施例によるヘルメットを示す分解斜視図である。
【図２】本発明の実施例によるヘルメット内面の平面図である。
【図３】図１のヘルメットに具備するシールドの進退方向を規制するガイド部を示す図である。
【図４】図１のヘルメットに具備するシールドガイド部材に付属部材を取り付けた状態を示す図である。
【符号の説明】
【００３８】
１      ヘルメット本体
１ａ    内面
１ｂ    前部
１ｄ    下端
１ｆ    係合受部
１ｈ    側部
１ｉ    後部
２      ハンモック
２ａ    第１係止部
２ｂ    支持バンド
３      シールド
３ｂ    端部
３ｃ    端部
４      シールドガイド部材
４ａ    係合部
４ｂ    上端
４ｃ    下端
４ｄ    一端
４ｅ    他端
４ｆ    挿通孔
４ｇ    ガイド部
４ｉ    第２係止部（係止部）
４ｋ    取付部
５      ヘッドバンド
５ａ    調整機構
６      付属部材
６ａ    眼がね部材
６ｂ    発光部材
Ａ      ヘルメット
【図１】
0005140943.tif 000002
【図２】
0005140943.tif 000003
【図３】
0005140943.tif 000004
【図４】
0005140943.tif 000005